(57)【要約】【目的】  保持用具との接続手段を持たない工具に保持用具を接続する際は、工具の持ち手に任意の固定手段を取り付け、その固定手段に保持用具を接続している。しかし、工具の持ち手にコブが生じたような不自然な形態となってしまい工具の操作性が極端に低下する。  従って、保持用具との接続手段を持たない工具にその操作性を低下させることなく接続できる保持用具を提供する。【構成】  本体となる紐体１の一方に少なくとも作業者の着衣に係着するフック２を配設し、他方には工具の持ち手に取付ける取付体３を配設して、その取付体３を、開口３１とその開口３１に続く中空部３２を備え、且つ少なくとも開口と３１その開口３１に続く中空部３２を伸縮可能な素材から形成する。【選択図】  図１
2006075955.tif 000002
【特許請求の範囲】
【請求項１】
本体の一方に所定の係着手段が配設され、他方には保持対象物に取付け可能な取付体が配設されてなり、その取付体は、開口とその開口に続く中空部分を備え、且つ少なくとも開口とその開口に続く中空部分が伸縮可能な素材から形成されていることを特徴とする保持用具
【請求項２】
前記本体が任意の素材からなる紐状体であることを特徴とする請求項１の保持用具
【請求項３】
前記本体が、巻取り方向に付勢され且つ周囲に紐を巻回した回転リールからなると共に、紐の先端に第２の係着具が設けられていることを特徴とする請求項１の保持用具
【請求項４】
前記伸縮可能な素材がゴム係の素材であることを特徴とする請求項１の保持用具
【請求項５】
前記第２の係着具が本体と着脱自在になっていることを特徴とする請求項１の保持用具
【請求項６】
前記第２の係着具の表面に任意の滑り止めが設けられていることを特徴とする請求項１の保持用具
【請求項７】
少なくとも開口とその開口に続く中空部分が伸縮可能な素材から形成されている取付体に、巻取り方向に付勢され且つ先端に所定の係着手段を備えた紐を巻回する回転リールが設けられてなることを特徴とする保持用具
【請求項８】
前記伸縮可能な素材がゴム係の素材であることを特徴とする請求項７の保持用具
【請求項９】
前記取付体の表面に任意の滑り止めが設けられていることを特徴とする請求項７の保持用具
【請求項１０】
少なくとも開口とその開口に続く中空部分が伸縮可能な素材から形成され、且つ任意の部位に保持用具と接続可能な接続手段を設けてなることを特徴とする接続アタッチメント
【請求項１１】
前記伸縮可能な素材がゴム係の素材であることを特徴とする請求項１０の接続アタッチメント
【請求項１２】
表面に任意の滑り止めが設けられていることを特徴とする請求項１０の接続アタッチメント
【発明の詳細な説明】
【技術分野】
【０００１】
本発明は、物品の落下を防止するための保持用具に関するものである。
【背景技術】
【０００２】
近年、物品の落下、例えば使用中の工具が落下したことによる二次傷害が多々発生している。これにより、工具を始めとして物品の落下を防止するために種々の保持用具が市販されている。ここでの説明は、工具の落下防止のための保持用具を取り上げて説明すると、その代表的なものとしては、ナイロンやワイヤー等の紐体によって工具と作業者の着衣やベルト等を接続することで、工具の落下を防止する形態のものである。この保持用具は、紐体の一方に備えるフックをベルトやズボンのベルト通しに引掛け、また、紐体の他方に備えるフックを工具に設けられている通孔に引掛けて使用するものである。
しかしながら、その通孔が設けられている工具は極めて少なく、多くの工具には通孔は設けられていないのである。この通孔が設けられていない工具に取り付ける場合は、工具の柄等に通孔が形成されたアタッチメント部材を取り付け、その通孔にフックを引掛けて保持用具と接続するのである。
【発明の開示】
【発明が解決しようとする課題】
【０００３】
しかして、工具によってはアタッチメント部材の取り付けによってその使い勝手が著しく低下するものがあり、それは、ペンチやニッパ等の指や手のひらによって操作する工具である。すなわち、アタッチメント部材には保持用具に有するフックを引掛けるための通孔が形成されていると共に、工具の持ち手に取り付けるための固定手段が設けられているので、アタッチメント部材が取り付けられた工具の持ち手は、その一部分にコブが生じたような不自然な形態となってしまうのである。
【０００４】
そして、工具を使用するの際、持ち手（柄）に取り付けたアタッチメント部材に指や手のひらが当たってしまうために操作上の感触が悪くなり、これによって作業への集中力が欠如し、通常容易に行える作業であっても二次不良を発生させてしまうことがある。
従って、本発明は上述した問題点に鑑みてなされたもので、保持用具との接続手段を持たない工具にその操作性を低下させることなく接続できる保持用具とその接続用アタッチメントを提供することを目的とし、さらに、工具以外の所定の物品にも応用できる保持用具とその接続用アタッチメントを提供することを目的とするものである。
【課題を解決するための手段】
【０００５】
本発明の要旨とするところは、本体の一方に所定の係着手段が配設され、他方には保持対象物に取付け可能な取付体が配設されてなり、その取付体は、開口とその開口に続く中空部分を備え、且つ少なくとも開口とその開口に続く中空部分が伸縮可能な素材から形成されていることを特徴とする保持用具である。
【０００６】
本発明の落下防止用具を詳しく説明すると、本発明に係る保持用具とその接続アタッチメントは、保持用具に設けられている取付体あるいは接続アタッチメントを取り付けることが可能な物品であればどのような物品に用いてもよい。
本体は、保持用に適応できる任意の部材から構成すればよく、具体的な部材としては、ナイロン等の樹脂素材やステンレス等の金属素材からなる紐状体を用いて構成してもよく、その紐状体は、単線または撚線からなる線状体、単層または多層からなる帯状体を含むものである。紐状体の径は保持対象物の重量を考慮して選定すればよい。そして、金属素材からなるものはその周囲を樹脂素材で被覆してもよい。さらには、紐状体の一部または全部をスプリング状になるよう任意の加工を行ってもよい。例えば、スプリング状に形成された任意の樹脂チューブに、樹脂素材や金属素材から形成した紐状体を通過させるようにしてもよい。
【０００７】
また、本体を、巻取り方向に付勢され且つ周囲に紐を巻回した回転リールから構成して、その紐の先端に取付体を設けてもよい。すなわち、保持対象物と作業者を結ぶ本体を紐とする共に、その紐の巻取り機構を設けるようにする。
その具体的な形態としては、筐体やケース体の内壁等に軸を立設し、その軸に紐を周囲に巻回した回転リールを軸支してもよい。そして、回転リール内には紐を巻き取るためのコイル状の巻取バネを設け、且つその巻取バネの一方の端を軸に係止すると共に、他方の端をリールの回転体すなわち紐を巻回する巻回部に係止して、紐が引き出されることによって巻取バネに巻取りのための付勢力が蓄積されるようにしてよい。紐に掛かるテンションは、紐を巻取り方向に付勢するための付勢手段の選定によって任意に設定すればよい。また、任意の引き出し位置で紐を固定する制動機構を設けてもよい。
【０００８】
所定の係着手段とは、作業者の着衣やベルト等と接続する係着具であり、具体的には、開閉自在のリング部等が設けられたフック等の係着具が上げられる。勿論、着衣やベルト等に接続できる形態のものであればフック以外の部材、例えば、ベロクロファスナー等であってもよい。そして、係着具は作業場所に有する鉄骨やパイプ等の任意の部材に係着可能な部材を用いてもよい。
係着具は本体の一方の端に設けられている。例えば、上述のような本体が紐体からなるものであれば、その紐体の一方の端部に係着具が設けられる。また、本体が回転リールすなわち巻取機構的に構成されているものであれば、筐体やケース等の紐の出入口の反対となる部位に係着具が設けられる。
その係着具の取付方法や取付形態も特に限定するものではないが、本体との接続において、使用による撚りを防止できるようにするのがよい。
【０００９】
取付体とは、保持対象物と接続するための係着具であり、その形態は、開口とその開口に続く中空部分を備えており、且つ取付体の一部または全部が伸縮可能な素材から形成されているものである。また、取付体は本体と着脱自在にしてもよく、これにより、保持対象物への適応範囲を拡大することができる。
開口とその開口に続く中空部分は保持対象物、例えば、工具であればペンチやニッパ等の工具の持ち手（柄）の部材に嵌まる部位であり、工具への接続部（固定部）となる部位である。その開口の径や開口に続く中空部分の径さらには中空部分の長さは、適応させる保持対象物の装着部位の寸法等を考慮して選定すればよい。また、装着部位の挿入の深さによって保持対象物の保持作用が変化するので所望の保持作用を選定すればよい。
【００１０】
そして、開口の形態も特に限定するものではなく、開口の周縁の部材の厚さを増加させて形成したり、開口内周面に抜け防止に適する凸凹等の形状を形成してもよい。また、開口および／または中空部分は、断面形状として見たとき円形または楕円形あるいは三角形や四角形さらには五角以上の多角形としてもよい。円形または楕円形のものは、装着部位が断面円形状のものに適し、三角形や四角形等の多角形は、装着部位が断面角形のものに適する。さらには、取付体を所定の保持対象物の専用係着具として、開口および中空部分を専用とする保持対象物の装着部位の外周部にフィット（密着）するように形成してもよい。
そして、上述の開口および中空部分が形成された保持対象物への接続部は伸縮可能な素材から形成する。その素材の具体的なものとしては、天然ゴムまたは合成ゴム等のゴム係の素材が適している。中でもシリコンゴムが特に望ましい。
【００１１】
取付体の形態としては、取付体の全部をシリコンゴム等の伸縮素材で形成し、開口と逆側の部位を本体と接続してもよい。また、開口とその開口に続く中空部分の範囲をシリコンゴム等の伸縮素材で形成し、本体との接続部を樹脂や金属で形成してもよい。取付体は筒状や有底筒状としてもよい。
そして、取付体と本体との接続形態も特に限定するものではなく、任意の方法や任意の接続部材等を用いて、少なくとも保持対象物が落下した際その保持対象物を保持できるように接続すればよい。
また、取付体の少なくとも保持対象物の装着部位に嵌着される部位に任意の滑り止めを設けてもよい。具体的には、伸縮素材の表面に滑り止めを形成したり、あるいは、滑り止めの処理加工をしたり、別体の滑り止め部材を付加してもよい。、
【００１２】
その取付体は、本体の他方すなわち作業者の着衣に係着される係着手段が設けられている方向と略反対側に設けられている。例えば、上述のような本体が紐体からなるものであれば、その紐体の一方の端部に作業者の着衣に係着される係着手段が設けられ、また、紐体の他方の端部に取付体が設けられる。
また、本体が回転リールすなわち巻取機的に構成されているものであれば、筐体やケース等の紐の出入口の反対となる部位に作業者の着衣に係着される係着手段が設けられ、また、紐の出入口から出入りする紐の先端に取付体が設けられる。
取付体の取付方法や取付形態も特に限定するものではないが、本体との接続において、使用による撚りを防止できるようにするのがよい。
【００１３】
保持用具の他の形態としては、少なくとも開口とその開口に続く中空部分が伸縮可能な素材から形成されている取付体に、巻取り方向に付勢され且つ先端に作業者の着衣等に係着できる係着手段を備えた紐を巻回する回転リールを設けてもよい。
取付体とは、前述と同様に保持対象物と接続するためのものである。その形態は、開口とその開口に続く中空部分を備えており、それは少なくともその開口とその開口に続く中空部分が伸縮可能な素材から形成されているものである。その開口とその開口に続く中空部分も、上述の取付体と同様に保持対象物、例えば、工具であればペンチやニッパ等の工具の持ち手（柄）の部材に嵌まる部位であり、工具への接続部（固定部）となる部位である。その工具取付体は、基本的には前述の説明に準ずる形態である。
【００１４】
紐の先端に備える係着手段とは、作業者の着衣やベルト等と接続するための係着具で、具体的には、開閉自在のリング部等が設けられたフック等の係着具が上げられる。勿論、着衣やベルト等に接続できる形態になっていればフック以外のものであってもよい。
係着具の取付方法や取付形態も特に限定するものではないが、紐との接続において、使用による撚りを防止できるようにするのがよい。
この保持用具の具体的な形態は、開口とその開口に続く中空部分とを伸縮可能な素材によって形成すると共に、さらにこの伸縮可能な素材によって回転リールの収容部も形成してもよい。あるいは、伸縮可能な素材によって開口とその開口に続く中空部分を形成すると共に、これに接続または連結して回転リールを設けてもよい。回転リールの構成は前述の回転リールに準ずる。
【００１５】
そして、保持対象物と保持用具とを接続させるための接続アタッチメントを形成してもよい。すなわち、保持対象物と保持用具とを接続させるための接続部材である。その接続アタッチメントの形態としては、少なくとも開口とその開口に続く中空部分が伸縮可能な素材から形成され、且つ任意の部位に保持用具と接続可能な接続手段を設ける。
本接続アタッチメントは、前述の取付体と同様に保持対象物と接続するためのものであると共に、保持用具と接続するためのものでもある。その形態は、開口とその開口に続く中空部分を備えており、それは少なくともその開口とその開口に続く中空部分が伸縮可能な素材から形成されているものである。その開口とその開口に続く中空部分も、前述の取付体と同様に保持対象物、例えば、工具であればペンチやニッパ等の工具の持ち手（柄）の部材に嵌まる部位であり、工具への接続部（固定部）となる部位である。その開口とその開口に続く中空部分は、基本的には前述の取付体の説明に準ずる形態である。
【００１６】
任意の部位に設けられた保持用具と接続するための接続手段の具体的な形態としては、任意の径の通孔、フック、リング体等が上げられる。しかして、基本的には保持用具と確実に接続できるようになっていれば如何なる形態のものを用いてもよい。
【００１７】
従って、本発明の保持用具とその接続アタッチメントは以上のように構成されており、この保持用具とその接続アタッチメントを工具に用いた場合、本体の一方に設けられている係着手段を作業者の着衣に取り付ける。例えば、係着手段が開閉自在の環部を備えるフックであれば、フックの環部を開いて、その環部を作業者のズボンベルトやズボンベルトのベルト通しに引掛ける。そして、本体の他方に設けている取付体を工具の持ち手に取り付ける。その取り付けは、取付体に備える開口をニッパ等の工具の持ち手の自由端に嵌めると共に、持ち手を取付体の中空部分に挿入することによって取付体が工具に装着される。また、取付体（接続アタッチメント）は伸縮する素材で形成しているので、工具の持ち手（柄）の断面形状に左右されることなく持ち手に装着でき、且つ持ち手を絞付け保持することができる。
【００１８】
これにより、作業中に工具を落下させてしまった時、その工具はある程度落下した所で、工具を保持する取付体、取付体を保持する本体、本体を保持する作業者の着衣に係着された係着手段によって工具の落下は阻止される。
そして、持ち手の挿入の深さで取付体の保持作用が変化する。すなわち、中空部分を残さないまで挿入すれば、取付体による保持は、工具の持ち手に嵌着する取付体の中空部分の圧嵌による伸縮素材の収縮力による保持であり、また、中空部分が少し残るように挿入すれば、取付体による保持は、工具の持ち手に嵌着する取付体の中空部分の圧嵌による伸縮素材の収縮力による保持と、工具の落下により、伸縮素材が伸びることによって生じる伸縮素材の更なる収縮による持ち手への絞付力による保持である。すなわち、落下によって生じる伸縮素材の伸びを工具の保持力に変換し、取付体の工具の持ち手からの外れを防止すると共に工具の落下を阻止するものである。
【００１９】
また、接続アタッチメントは、接続アタッチメントに備える開口をニッパ等の工具の持ち手の自由端に嵌めると共に、持ち手を中空部分に挿入させることによって接続アタッチメントが工具に装着される。そして、接続アタッチメントに備える接続孔に保持用具に備わるフック等の接続手段を係着することによって保持用具と工具が連結される。
工具が落下した際の工具の落下阻止動作は、上述の取付体と同様な工具の保持動作をする。
【発明の効果】
【００２０】
本発明の保持用具とその接続アタッチメントは以上のように構成されているので、例えば、工具の持ち手（柄）に保持用具に備える取付体を取り付けた際も、取付体が工具の持ち手を被覆するように装着されるため持ち手と取付体との段差も極めて低く、従って、工具使用の際に取付体に指や手のひらが当たった場合も、操作上の違和感を感ずることなく作業をすることができる。すなわち、操作性を低下させることがない。また、取付体が伸縮する素材で形成されているので、工具の持ち手（柄）の断面形状に左右されることなく持ち手に装着でき且つ持ち手を絞付けられるので、工具を確実に保持することができる。さらには、取付体の持ち手に取り付けられる部位の表面に滑り止め加工がされているものは、さらに工具の落下防止に有利となる。
【００２１】
そして、接続アタッチメントを用いることにより、例えば、保持用具への接続手段を持たない工具の持ち手に装着することができると共に、工具へ接続するためのフック等の接続手段を備える保持用具と接続することができる。
また、接続アタッチメントをペンチ／ドライバー／ハンマー等の各工具形態に合わせて用意することにより、上述の保持用具一つで、各工具をフック等の接続手段を備える保持用具と接続することができる。
接続アタッチメントの取付体も伸縮する素材で形成されているので、工具の持ち手（柄）の断面形状に左右されることなく持ち手に装着でき且つ持ち手を絞付けられるので、工具を確実に保持することができる。さらには、取付体の持ち手に取り付けられる部位の表面に滑り止め加工がされているものは、さらに工具の落下防止に有利となる。
【発明を実施するための最良の形態】
【００２２】
本発明の保持用具とその接続アタッチメントを以下図面に従って説明すると、図１は、本発明に係る保持用具の斜視図であり、本図は、本体を紐体１から構成したものである。
１は紐体、２は作業者の着衣に係着するためのフック、２１はアーム、２２は開閉アームである。３は一部または全部が伸縮素材から形成される取付体、３１は開口、３２は中空部である。
作業者の着衣にはフック２が装着され、工具には取付体３が装着されて、作業者と工具が紐体１によって結ばれるので、作業中に工具を落下させてしまった際、その工具はある程度落下した所で、工具を保持する取付体３、取付体３を保持する紐体１、紐体１を保持する作業者の着衣に装着された係フック２によって工具の落下が阻止される。
【００２３】
図２は、巻取機を備えた保持用具の斜視図であり、本体を巻取体４から構成したものである。
４は巻取体、４１はリール、４２はリール４１に巻回されている紐、４３は巻取体４のケースに形成する紐４２の出入口、４４はリール４１を支持する軸、４５はリール４１を巻き取り方向に付勢するコイルバネである。
その巻取体４にフック２が取り付けられ、また、紐４２の端に取付体３が取り付けられる。
【００２４】
図３は、取付体を着脱できる保持用具の斜視図であり、紐体１の取付体３側に連結体５が設けられており、その連結体５のアーム５１が取付体３の係着孔３３に係着されて取付体３が保持される。５１は連結体５の開閉アームである。
図４は、図３の取付体を取外した時の保持用具の斜視図であり、連結体５の開閉アーム５１が開かれて、取付体３が取り外されたものである。
【００２５】
図５は、取付体に滑り止めを備えた保持用具の斜視図であり、取付体３の表面に滑り止めの突起３４が形成されている。
【００２６】
図６は、取付体に巻取機を備えた保持用具の斜視図であり、取付体３に巻取体６が設けられており、その巻取体６に内装するリール（図示なし）に巻回する紐６２の端に作業者に装着するためのフック２が取り付けられている。６１は巻取体６のケースに形成する紐６２の出入口である。また、図示はしていないが、巻取体６の内部には、紐６２を巻回するリール、リールを支持する軸、リールを巻き取り方向に付勢するコイルバネを備える。
【００２７】
図７は、他の作業者側の係着具を示す保持用具の斜視図であり、作業者の着衣に係着するための係着具をベロクロファスナーから構成したものである。
１は紐体、７はベロクロファスナー、７１はベロクロファスナー７のオス側で、７２はベロクロファスナー７のメス側である。３は一部または全部が伸縮素材から形成される取付体、３１は開口、３２は中空部である。
図８は、図７の係着具を開いた時の保持用具の斜視図であり、ベロクロファスナー７のオス７１とメス７２の係着を解いたものである。ベロクロファスナー７の使用により、作業者側の装着部に重量感を感じさせることがない。
【００２８】
図９は、接続アタッチメントを示す斜視図であり、８は接続アタッチメント、８１は開口、８２は中空部、８３は接続孔である。
【００２９】
図１０は、取付体の開口形状を示す図であり、３は取付体、３１は開口である。（ａ）図は、開口３１を円形とした一例、（ｂ）図は、開口３１を楕円形とした一例、（ｃ）図は、開口３１を四角形とした一例、（ｄ）図は、開口３１を三角形とした一例、（ｅ）図は、開口３１を多角形とした一例を示すもので、円形や楕円形は断面円形状の保持対象物の装着部位に適し、また、三角形や四角形またそれ以上の多角形は断面角形状の保持対象物の装着部位に適する。
【００３０】
図１１から図１３は、取付体を工具に装着した時の図である。
図１１は、ペンチ９の持ち手９１に装着したものであり、取付体３の装着は、取付体３に備える開口３１（図１参照）をペンチ９の持ち手９１の自由端に嵌めると共に、持ち手９１を取付体３の中空部分３２（図１参照）に挿入することによって取付体３がペンチ９に装着される。
そして、フック２のアーム２１を作業者の着衣に係着することによってペンチ９は作業者と連結される。
【００３１】
図１２は、ドライバー１３の持ち手１３１に装着したものであり、取付体３の装着は、取付体３に備える開口３１（図１参照）をドライバー１３の持ち手１３１の自由端に嵌めると共に、持ち手１３１を取付体３の中空部分３２（図１参照）に挿入することによって取付体３がドライバー１３に装着される。
そして、フック２のアーム２１を作業者の着衣に係着することによってペンチ９は作業者と連結される。
【００３２】
図１３は、ハンマー１４の持ち手１４１装着したものであり、取付体３の装着は、取付体３に備える開口３１（図１参照）をハンマー１４の持ち手１４１の自由端に嵌めると共に、持ち手１４１を取付体３の中空部分３２（図１参照）に挿入することによって取付体３がハンマー１４に装着される。また、本図の取付体３は、その表面に滑り止め用の突起３４を形成する。
そして、フック２のアーム２１を作業者の着衣に係着することによってペンチ９は作業者と連結される。
【００３３】
図１４は、接続アタッチメントの使用方法を示す図であり、本図は、ペンチ９を保持用具に接続する際の接続アタッチメントの使用方法を示している。
接続アタッチメント８のペンチ９の持ち手９１への装着は、接続アタッチメント８の開口８１を持ち手９１の自由端に嵌め、持ち手９１を中空部８２に挿入する。これによって接続アタッチメント８がペンチ９の持ち手９１に装着することができる。そして、接続アタッチメント８の接続孔８３に保持用具に備わるフック１１のアーム１１１を係着することによって保持用具とペンチ９が連結される。さらに、保持用具のフック１２のアーム１２１を作業者の着衣に係着することによってペンチ９は作業者と連結される。
１０は工具接続側のフック１１と作業者接続側のフック１２を結ぶ紐体、１１２／１２２は開閉アームである。
【００３４】
図１５は、接続アタッチメントの使用方法例を示す図であり、９はペンチ、１３はドライバー、１４はハンマーで、そのそれぞれに適合する接続アタッチメント８を用意し、また、保持用具は紐体１０の両端にフック１１とフック１２を備える形態のものを用意する。
そして、保持用具の例えばフック１１を作業者の着衣に係着しておくことにより、工具を使用する際、工具に装着している接続アタッチメント８の接続孔８３と保持用具のフック１２を係着することによって工具と作業者を連結することができ工具の落下を阻止することができる。
【００３５】
図１６および図１７は、工具落下の際の工具保持状態を示す図である。
図１６の取付体３による保持は、ペンチ９の持ち手９１に嵌着する取付体３の中空部分３２の圧嵌による伸縮素材の収縮力による保持である。
図１７の取付体３による保持は、ペンチ９の持ち手９１に嵌着する取付体３の中空部分３２の圧嵌による伸縮素材の収縮力による保持と、ペンチ９の落下により、伸縮素材が伸びることによって生じる伸縮素材の更なる収縮による持ち手９１への絞付力（矢印ａ）による保持である。
【００３６】
図１８は、図１７の取付体の更なる収縮による保持作用を示す図であり、絞付力（矢印ａ）の発生は、ペンチ９の落下によって伸縮素材の伸び（矢印ｂ）が発生することで、取付体３の外周部は中空部分３２に向かう（矢印ｃ）ので、この矢印ｂと矢印ｃのベクトルによって取付体３の持ち手９１への絞付力（矢印ａ）が発生する。
【００３７】
図１９は、取付体を釣竿に装着した時の図であり、取付体３の装着は、取付体３に備える開口３１（図１参照）を釣竿１５の持ち手１５１の自由端、すなわち、釣竿の根元に嵌めると共に、持ち手１５１を取付体３の中空部分３２（図１参照）に挿入することによって取付体３が釣竿１５に装着される。
そして、フック２のアーム２１を釣者の着衣に係着することによって釣竿１５は釣者と連結される。
【００３８】
図２０は、取付体を筆記具に装着した時の図であり、取付体３の装着は、取付体３に備える開口３１（図１参照）をボールペン等の筆記具１６の持ち手１６１の自由端、すなわち、ノックボタン側に嵌めると共に、持ち手１６１を取付体３の中空部分３２（図１参照）に挿入することによって取付体３が筆記具１６に装着される。また、取付体３は伸縮する素材で形成されているので、筆記具１６の持ち手１６１に挟着具１６２があっても、その挟着具１６２と共に持ち手１６１に嵌めることができる。
そして、フック２のアーム２１を使用者の着衣に係着することによってボールペン等の筆記具１６は使用者と連結される。
【図面の簡単な説明】
【００３９】
【図１】本発明に係る保持用具の斜視図
【図２】巻取機を備えた保持用具の斜視図
【図３】取付体を着脱できる保持用具の斜視図
【図４】図３の取付体を取外した時の保持用具の斜視図
【図５】取付体に滑り止めを備えた保持用具の斜視図
【図６】取付体に巻取機を備えた保持用具の斜視図
【図７】他の作業者側の係着具を示す保持用具の斜視図
【図８】図７の係着具を開いた時の保持用具の斜視図
【図９】接続アタッチメントを示す斜視図
【図１０】取付体の開口形状を示す図
【図１１】取付体を工具に装着した時の図
【図１２】取付体を工具に装着した時の図
【図１３】取付体を工具に装着した時の図
【図１４】接続アタッチメントの使用方法を示す図
【図１５】接続アタッチメントの使用方法例を示す図
【図１６】工具落下の際の工具保持状態を示す図
【図１７】工具落下の際の工具保持状態を示す図
【図１８】図１７の取付体の更なる収縮による保持作用を示す図
【図１９】取付体を釣竿に装着した時の図
【図２０】取付体を筆記具に装着した時の図
【符号の説明】
【００４０】
１−紐体，２−フック，２１−アーム，２２−開閉アーム，３−取付体，３１−開口，３２−中空部，３３−係着孔，３４−突起，４−巻取体，４１−リール，４２−紐，４３−出入口，４４−軸，４５−コイルバネ，５−連結体，５１−アーム，５２−開閉アーム，６−巻取体，６１−出入口，６２−紐，７−ベロクロファスナー，７１−オス，７２−メス，８−接続アタッチメント，８１−開口，８２−中空部，８３−接続孔，９−ペンチ，９１−持ち手，１０−紐体，１１−フック，１１１−アーム，１１２−開閉アーム，１２−フック，１２１−アーム，１２２−開閉アーム，１３−ドライバー，１３１−持ち手，１４−ハンマー，１４１−持ち手，１５−釣竿，１５１−持ち手，１６−筆記具，１６１−持ち手，１６２−挟着具，ａ／ｂ／ｃ／ｄ−矢印
【図１】
2006075955.tif 000003
【図２】
2006075955.tif 000004
【図３】
2006075955.tif 000005
【図４】
2006075955.tif 000006
【図５】
2006075955.tif 000007
【図６】
2006075955.tif 000008
【図７】
2006075955.tif 000009
【図８】
2006075955.tif 000010
【図９】
2006075955.tif 000011
【図１０】
2006075955.tif 000012
【図１１】
2006075955.tif 000013
【図１２】
2006075955.tif 000014
【図１３】
2006075955.tif 000015
【図１４】
2006075955.tif 000016
【図１５】
2006075955.tif 000017
【図１６】
2006075955.tif 000018
【図１７】
2006075955.tif 000019
【図１８】
2006075955.tif 000020
【図１９】
2006075955.tif 000021
【図２０】
2006075955.tif 000022